(57)【要約】【課題】本発明は物品を収納可能な折り畳み可能な物品の収納容器を提供する。【解決手段】物品の収納容器は、各隅部ａ〜ｄ、ａ’〜ｄ’を曲折可能に構成してあると共に、相対応する面の中点ｆ〜ｆ’、ｅ〜ｅ’で曲折可能に構成してあると共に、蓋体１０も同様に、相対する枠体の中点ｓ、ｔで曲折すると、２つ折りになる。【選択図】        図１
2005053497.tif 000002
【特許請求の範囲】
【請求項１】
箱状の容器本体と、この容器本体の開口部を覆う蓋体で構成の物品の収納容器であって、
前記容器本体は、各隅部を曲折可能に構成してあると共に、相対応する面の中点で曲折可能に構成してあり、
前記蓋体は、相対する枠体の中点で曲折可能に形成してあることを特徴とする容器。
【請求項２】
蓋体にフックを取付け、容器本体に前記フックに対応するホルダを取り付けてあることを特徴とする請求項１の物品の収納容器。
【発明の詳細な説明】
【０００１】
【発明の属する技術分野】
本発明は、物品を収納可能な折り畳み可能な物品の収納容器に関する。
【０００２】
【従来の技術】
従来、物品を収納する折り畳み収納容器には、例えば、特開平８−５３１２９号公報がある。この公報には、隅部が曲折可能に連結し、略立方体の容器であり、所謂、ひねり倒して折り畳み可能な容器である。
この折り畳み可能な容器は、使用状態には立方体状になって物品を収納でき、未使用状態には平坦状になり、収納場所を取らないと言うものである。
【０００３】
【発明が解決しようとする課題】
しかし、前記の折り畳み容器は、略立方体状であり、使用目的にそぐわない場合がある。
そこで、箱状の容器で、且つ、折り畳み可能な収納容器を提供すると共に、使用し易い蓋体も提供するものである。
【０００４】
【課題を解決するための手段】
請求項１の物品の収納容器は、箱状の容器本体と、この容器本体の開口部を覆う蓋体で構成してある。そして、容器本体は各隅部を曲折可能に構成してあると共に、相対応する面の中点で曲折可能に構成してある。従って、相対応する面の中点で曲折すると、容器本体は平坦状に折り畳むことができる。又、蓋体も同様に、相対する枠体の中点で曲折すると、２つ折りになる。
従って、この物品の収納容器は、使用時には箱状になり、未使用時には平坦状に折り畳むことができる。
又、請求項２の物品の収納容器は、蓋体にフックを取付け、容器本体に前記フックに対応するホルダを取り付けてあるので、蓋体は着脱自在である。
【０００５】
【発明の実施の形態】
図１（Ａ）は容器の構成部品図であり、蓋体１０と容器本体２０を示し、図１（Ｂ）は曲折した姿態を示す蓋体と容器本体図、図１（Ｃ）は使用姿態であり蓋を閉じた時を示し、図１（Ｄ）は使用姿態であり、蓋を開いて物品を収納するときの姿態図である。
【０００６】
蓋体１０は容器本体２０にフックを介して取付けられ、容器本体の開口部を覆う（被せる）直方形状であり、且つ、２つ割り可能に形成してある。この蓋体１０の枠体は、例えば、強化プラスチック材（例えば、細いＦＲＰポール等）や鋼線等を使用し、この四角状の枠体１１（１１ａ、１１ｂ、１１ｃ、１１ｄ）に柔軟な網体１２を縫合又は溶着で取り付けて形成する。尚、この蓋体１０の隅部ｏ、ｐ、ｑ、ｒは剛体（曲折不可）で構成しても、後述の骨材１Ｃを用いて曲折可能に構成してもよい。
【０００７】
また、この蓋体１０は２つ割り可能に構成してあるので、相対する枠体１１ａ、１１ｃの中点ｓ、ｔは、曲折可能な骨材１Ｃで結合してある。
尚、この骨材１Ｃは、例えば、図２に示すような構成であり、芯材５５の両端に枠部材５２ｃを挿入して構成する。そして、この枠部材５２ｃは、曲折可能なポリプロピレン等の弾性変形可能（捻りを含む）である合成樹脂であり、端部５２Ａは縫製可能に幅広く形成してあり、他方部は芯材５５の形状に合わせ、円柱状の芯材５５には円筒状、角柱状の芯材５５には角筒状で、その内周面には凹凸５４が形成してある。又、前記骨材１Ｃに替えて、ゴムのような弾性体で接合し、曲折可能性と直線性を維持するように構成してもよい。
【０００８】
この骨材１Ｃを使用することによって、前記縫合可能に幅広く形成の端部５２Ａによって曲折可能な曲折部（隅部）が形成可能である。即ち、端部５２Ａと端部５２Ａを重ねて、縫合したり溶着等で結合して曲折可能に構成してある。
又、前記蓋体１０の枠体の適宜の箇所にはフック３０が取り付けてあり、後述の容器本体２０に取り付けてあるホルダ３１とで、蓋体１０を着脱可能になっている。
【０００９】
又、前記本体容器２０は、開口部２１を有する直方体形状の箱であり、各辺は図２に示す骨材１Ｃで枠体１１を形成してあるので、各隅部ａ〜ｄ、ａ’〜ｄ’は曲折可能であると共に、相対する面Ａ、Ｂの枠体の中点ｅ、ｆ、ｅ’、ｆ’も骨材１Ｃの端部５２Ａになるように構成してある。そこで、中点ｅ〜ｅ’、ｆ〜ｆ’で曲折すると、相互の半分の面は重なりあって平坦状になる。
又、前記各隅部ａ〜ｄ、ａ’〜ｄ’で形成の側面と底面（開口部２１を除く）には、柔軟な、例えば、網体１２を縫合や接着で取り付ける。
又、前記蓋体１０に取付けのフック３０に対応するホルダ３１が、容器本体２０の側面に取り付けてある。
【００１０】
次に、前記蓋体と容器本体の使用について説明すると、先ず、容器本体２０を長方形状に組み立てると、各隅部ａ〜ｄ、ａ’〜ｄ’は、図２に示す端部５２Ａと端部５２Ａの重ねて合わせで結合してあるので箱状になる。
又、蓋体１０に取り付けてあるフック３０を容器本体２０に取り付けてあるホルダ３１に装着すると、蓋体１０で覆われた直方体状の容器が形成できる（図１（Ｃ））。
そして、この容器に物品を収納するときには、蓋体１０の前面側を持ち上げると、半分が開口になり、物品を入れることができる（図（Ｄ））。
【００１１】
一方、容器が空になり、容器を収納する場合について説明すると、先ず、フック３０をホルダ３１から外して、蓋体１０を取り去り、この蓋体１０は中点ｓ、ｔで重なり合うように折り畳むことができる。
又、容器本体２０の中点ｅ〜ｅ’、ｆ〜ｆ’で曲折すると、相互の半分の面は重なり合い、平坦状に折り重ねることができる（図１（Ｂ））。
以上のように、蓋体１０と容器本体２０で構成の容器は、使用時には直方体状の容器となり、未使用時には折り畳んで平坦状にすることができるので、収納場所を取らない。
尚、前記容器は箱状として直方体状を例示したが立方体であってもよいし、網体１２に替えてシート等で構成してもよい。即ち、本願の容器は、曲折可能な箇所には曲折可能であると共に直線性を維持可能な部材で接合すると共に、曲折する面には曲折可能な部材で縫合や溶着等で面全体に取り付けて構成する。
【００１２】
【発明の効果】
請求項１の容器は、容器本体の相対応する面の中点を曲折すると、容器本体は平坦状に折り畳むことができるので、未使用時には収納場所を取らない。
又、請求項２の物品の収納容器は、蓋体にフックを取付け、容器本体に前記フックに対応するホルダを取り付けてあるので、蓋体は着脱自在である。
【図面の簡単な説明】
【図１】（Ａ）は容器の構成部品図、（Ｂ）は曲折した姿態を示す蓋体と容器本体図、（Ｃ）は使用姿態であり蓋を閉じた時を示し、（Ｄ）は使用姿態であり、蓋を開いて物品を収納するときの姿態図である。
【図２】骨材を示す図である。
【符号の説明】
１０  蓋体
１２  網体
２０  容器本体
【図１】
2005053497.tif 000003
【図２】
2005053497.tif 000004